(57)【要約】  【課題】草刈り機の刈刃の刈刃ステーの連結機構で、従来は、特殊な部品形状により特定工具でないと着脱できない、部品が多く煩雑でつけ間違いやつけ忘れが起こりやすい、など草刈り作業性を損なう問題があった。これら刈刃の着脱に関わるトラブルを解消し、草刈り作業能率の向上を目的とする。  【解決手段】刈刃と刈刃ステーとの連結に、片面にネジ、又はネジ孔を形成し、そのネジ、又はネジ孔の軸線上対面側に、略多角形状の棒レンチを嵌合し得る略多角形孔、又は溝付き略多角形孔を形成した締結体を使用することで、たとえ締結体の外周が摩耗してもレンチ角部には影響ないようにした。従来から使用されていたナットカバーを無くすことで連結機構が単純且つ着脱作業性に優れた構成になった。またナットカバーを無くしたことで刈り刃の回転抵抗も減少し刈り取り作業効率も向上するようになった。  【選択図】図３
2008035718.tif 000002
【特許請求の範囲】
【請求項１】
刈り取り部の刈刃と刈刃ステーとの端を機械部品などにより、該刈刃を回転自在に重ね合わせ、該ステーと着脱自在に連結した草刈り機において、該連結に、片面にネジ、又はネジ孔を形成し、該ネジ、又はネジ孔の軸線上対面側に、略多角形状の棒レンチを嵌合し得る略多角形孔、又は溝付き略多角形孔を形成した締結体を使用したことを特徴とする草刈り機の刈刃の刈刃ステーとの連結機構。
【発明の詳細な説明】
【技術分野】
【０００１】
本発明は草刈り機または類機の芝刈り機の中で主に小形乗用の刈り取り部の刈刃着脱機構に関わるものである。
【背景技術】
【０００２】
草刈り機は草刈り作業の負荷又は作業量において刈り取り部の摩耗し劣化した刈刃を新品と交換できる構成になっているが、従来ボルト、ナット類の他幾つかの部品を必要とする連結構成になっていた。
【特許文献１】実開平６−８４７１
【特許文献２】特開２００５−２０４６２５
【発明の開示】
【発明が解決しようとする課題】
【０００３】
草刈り機の刈刃の刈刃ステーへの連結は従来それぞれの貫通穴同士にボルトを下から通し上側でナット締めにて行っていた。（図６、図７）  そのままでは草刈り作業中、土、砂、小石、他異物などによりナットの六角角部が摩耗し工具で着脱しようとしても六角角部をなめ、ナットを回すことが困難になり刈刃の着脱ができなくなるという問題があった。これを解決するためナットを飛び石など障害物から保護する引例の「環状立縁体」を設ける方式（図６）や図７のような折り曲げ式のナットカバーを設ける方式などがあった。しかしいずれの方式もボックスレンチなどの特定工具でないと着脱できない、部品数が多く着脱に手間がかかる、部品を付け忘れる、またナットカバーそのものが損傷し工具が使えなくなる、など刈刃の着脱作業性を損なういくつかの問題があった。又逆に複雑な連結部のゆるみや摩耗損傷により刈刃が草刈り作業中に脱落し吹っ飛んでしまうという、安全上の問題もあった。本発明は刈刃の着脱機構に関わるこれらの問題を解決し、草刈り機の刈刃に関わるトラブルをなくし、また着脱容易にし刈刃着脱作業性を向上させ、草刈り作業能率の向上を目的とする。
【課題を解決するための手段】
【０００４】
上記課題を解決するために本発明において講じた手段は、刈刃と刈刃ステーとの連結に、片面にネジ、又はネジ孔を形成し、そのネジ、又はネジ孔の軸線上対面側に、略多角形状の棒レンチを嵌合し得る略多角形孔、又は溝付き略多角形孔を形成した締結体を使用したことである。
【発明の効果】
【０００５】
本発明は上記手段を施したことにより以下の効果を有する。
【０００６】
レンチ用角部が内側に形成されているため、レンチ角部が摩耗しレンチが使用できなくなるトラブルがなくなり、刈り刃の着脱作業性が向上する。
【０００７】
従来使用していたナットカバーが必要なくなり、レンチ作業スペースが広がり、刈り刃着脱の際のトラブルがなくなり刈り刃着脱作業性が向上する。
【０００８】
従来のように刈刃と重ね固定するための余計な部品がなくなり、着脱時のつけ間違い、つけ忘れ、ゆるみなどのトラブルがなくなり刈刃着脱作業性が向上する。
【０００９】
刈刃をカバー部品など他の余計な部品と重ね固定する必要がなく確実に固定されるため、草刈り作業中に固定が外れ吹っ飛ぶことがなくなり、安全性も向上する。
【００１０】
従来のナットカバーが無くなることで、刈り刃回転時の草、障害物などからの抵抗が大幅に減少し、刈り取り作業効率が向上する。
【発明を実施するための最良の形態】
【００１１】
締結体の外周は使用に比例し摩耗していくため、摩耗してもレンチ強度に耐えうる充分な肉厚が必要である。刈り刃ステーの刈り刃取り付け穴径以上に設定することで充分であり、且つ刈り刃の回転自在な連結も維持され単純な構成且つ作業性に優れたものにすることが出来た。
【実施例１】
【００１２】
本発明の第一実施例を添付図面に基づいて説明する。図１は本発明草刈り機の実施例で左側面図、図２は本発明草刈り機で刈刃と刈刃ステーとの連結状態全体を示す断面図、図３はその連結状態の詳細と着脱状態を示す斜視図、図４は連結部の断面図である。図は見やすくする為一部省略している。草刈り機はエンジン２の出力をエンジンプーリ２１から刈刃プーリ１４で受け刈刃軸１３を介して刈刃ステー１１を回転させる。刈刃ステー１１の両先端には刈刃１２が回転自在に連結されていて草を刈ることができる。一方、エンジンプーリ２１から別にトランスミッション３を介し走行駆動車輪４により駆動走行し、ステアリング６の操作で操舵車輪５により舵取りを行う。刈り取り部１は昇降レバー７でリンク機構により昇降出来、刈り取りの草高さを調節できる。
【００１３】
本発明の実施例である刈刃１２と刈刃ステー１１との連結構成について図２、図３、および図４で説明する。刈刃１２は刈刃ステー１１の両端に回転対称にそれぞれの貫通孔を通し、固定用ボルト１１２、カラー１１３、本発明締結体１１１により連結されている。１１１は片面に固定用ボルト１１２と嵌合するネジ孔が形成され、そのネジ軸上反対側には六角棒レンチが嵌合できる六角穴が形成されており、土、砂、小石など障害物により外周が摩耗損傷してもレンチ用角穴は無傷の本発明締結体である。カラー１１３の外径はステー１１の貫通穴径より小さく、厚みはステー１１の板厚より厚めに形成されているため、刈刃１２の連結状態は回転自在になっている。回転自在に連結するのは、石など障害物からの逃げ、切れ味向上、消耗品としてのメインテナンス性などによる。
【００１４】
本締結体１１１はステー１１の前記貫通孔径以上の外周径にすることで、たとえ摩耗し寸法減少しても棒レンチ使用強度には充分耐えうる肉厚を有している。且つそれだけで刈り刃１２を回転自在な連結構成にすることが出来、そのための余分な部品（例えば径大ワッシャ）を必要としない、単純で優れた構成になっている。
【００１５】
本構成で刈刃１２は固定用ボルト１１２−刈刃１２−締結体１１１で専用にカラー固定されるため、動作中にゆるみ外れてしまうというトラブルを大幅に改善することが出来る。部品数も少なくなって装着忘れも改善できている。比較として図６、図７に従来のナットカバーを重ね合わせて連結する方式を示す。連結部品過多のため確実締結のための部品も余分に増えている。
現在の草刈り機は、刈刃１２は前記理由でほとんどステー１１に回転自在に連結されることから、従来方式のナットカバー（図６、図７）はこれに共締めされる構成が常識になっていた。そのためおのずと形状は環状ないし筒状になり、着脱に特定工具が必要になり、作業がわずらわしいものになっていた。またカバーそのものが摩耗損傷や変形した場合には工具の使用が出来ず、刈刃１２の着脱が困難にもなっていた。更に共締めすることから連結部品が多くなってしまい、つけ間違い、つけ忘れ、ゆるみなどが発生する原因にもなっていた。本発明は従来の摩耗損傷からくる諸トラブルに対する対策、及びメインテナンス性の両面を追求した結果、摩耗に対し対策するのとは逆に、摩耗しても刈り刃着脱に影響ないようにすれば、という逆転の発想に至った結果得られた成果である。
【００１６】
また本構成により刈り刃１２の着脱作業性の向上とは別に、従来のナットカバーを必要としなくなったことにより刈り刃回転前面方向の投影面が大幅に減少し、刈り刃回転時の抵抗が減少するようになった。これにより異形状草、障害物など不規則異物の際の刈り刃回転変動が減少し、刈り取り作業効率が従来のナットカバーを装着するものに対し格段に向上するようにもなり優れた相乗効果も得られた。
【００１７】
図５に第１実施例のバリエーションを示す、Ａは前記締結体、Ｂは外周を六角ナット形状にしてある締結体であり刈り刃装着の際はスパナも使えるが交換する際は六角外周は摩耗でスパナが使用できないため、六角棒レンチを使用して外す。角部があると摩耗も激しくその分肉厚を厚くする必要がある。為にＡでは角部を持たぬよう全体に丸みを持たせている。Ｃは四角棒レンチ用角穴を形成したものである。Ｄは棒レンチ用角穴に十字状の溝を入れたものである。本発明の唯一の欠点である棒レンチ用角穴の穴詰まり対策用である。
草刈り機使用と共にこの角穴に土、砂、泥が詰まっていく。この詰まり物をほじくり出しやすいように溝を設けた物であるが、この溝を利用し図の様な十字状の専用レンチを使用し脱着操作することも出来る。Ｅは穴詰まり対策用にゴム、軟質樹脂などによるキャップを脱着可能に角穴に挿入固定するものである。
【実施例２】
【００１８】
図８に本発明の第二実施例を示す。図３での締結体１１１の略ナット形状を略ボルト形状に、固定用ボルト１１２を固定用ナット１１７に置き換えた方式である。ナット形状にするか、ボルト形状にするかは使用者の好みによって対応できる。
【産業上の利用可能性】
【００１９】
同類機の芝刈り機、類似刈り刃装着機構を持つ刈り払い機などに使用が可能である。また屋外作業機で小石、砂などの障害物から摩耗損傷を防ぐ回転体の締結部位の全てに使用が可能である。
【図面の簡単な説明】
【００２０】
【図１】本第１実施例を示す草刈り機の左側面図である。
【図２】本第１実施例の刈刃と刈刃ステーの連結状態を示す断面図である。
【図３】本第１実施例の刈刃と刈刃ステーの連結状態と着脱状態との詳細を示す斜視図である。
【図４】本第１実施例の刈刃と刈刃ステーの連結状態を示す断面図である。
【図５】本第１実施例締結体のバリエーションを示す図である。
【図６】従来の刈刃と刈刃ステーの連結部を保護するためにナットカバーを用いる方式の一つを示す図である。
【図７】従来の刈刃と刈刃ステーの連結部を保護するためにナットカバーを用いる方式の一つを示す図である。
【図８】本第２実施例の刈刃と刈刃ステーの連結状態と着脱状態との詳細を示す斜視図である。
【符号の説明】
【００２１】
１  刈り取り部
２  エンジン
３  トランスミッション
４  走行駆動車輪
５  操舵車輪
６  ステアリング
７  昇降レバー
１１  刈刃ステー
１２  刈刃
１３  刈刃軸
１４  刈刃プーリ
【図１】
2008035718.tif 000003
【図２】
2008035718.tif 000004
【図３】
2008035718.tif 000005
【図４】
2008035718.tif 000006
【図５】
2008035718.tif 000007
【図６】
2008035718.tif 000008
【図７】
2008035718.tif 000009
【図８】
2008035718.tif 000010